(57)【要約】【課題】ナット収容部に収容されたナットがナット挿入口から脱落することを防止し、ナットが底壁側に脱落することを防止する。【解決手段】本明細書によって開示される端子台１０は、バスバー３０と、バスバー３０と対向して配された底壁２５を有する樹脂部２０と、バスバー３０と底壁２５の間に設けられたナット収容部１１に収容されたナット４０とを備えた端子台１０であって、バスバー３０の端部と底壁２５の端部との間には、ナット４０をナット収容部１１に向けて挿入するためのナット挿入口１２が設けられ、ナット４０の高さ寸法Ｈ３は、ナット挿入口１２における底壁２５からバスバー３０までの高さ寸法Ｈ１よりも大きく、かつ、ナット収容部１１における底壁２５からバスバー３０までの高さ寸法Ｈ２よりも小さい構成とした。【選択図】図４
2018010797.tif 000002
【特許請求の範囲】
【請求項１】
バスバーと、
前記バスバーと対向して配された底壁を有する樹脂部と、
前記バスバーと前記底壁の間に設けられたナット収容部に収容されたナットとを備えた端子台であって、
前記バスバーの端部と前記底壁の端部との間には、前記ナットを前記ナット収容部に向けて挿入するためのナット挿入口が設けられ、
前記ナットの高さ寸法は、前記ナット挿入口における前記底壁から前記バスバーまでの高さ寸法よりも大きく、かつ、前記ナット収容部における前記底壁から前記バスバーまでの高さ寸法よりも小さい端子台。
【請求項２】
前記ナット収容部は、前記バスバーに設けられ前記ナットの一部を収容するバスバー側ナット収容部と、前記樹脂部に設けられ前記ナットのうち前記バスバー側ナット収容部からはみ出した部分を収容する樹脂部側ナット収容部とからなる請求項１に記載の端子台。
【請求項３】
前記ナット収容部における前記ナットの両側面と対向する一対の樹脂部側対向面には、前記ナットの両側面を押圧する一対の樹脂リブが設けられており、
前記バスバーにおける前記ナットの両側面と対向する一対のバスバー側対向面間の離間距離は、前記ナットの両側面間の寸法とほぼ同じである請求項２に記載の端子台。
【発明の詳細な説明】
【技術分野】
【０００１】
本明細書によって開示される技術は、端子台に関する。
【背景技術】
【０００２】
従来、ナットが圧入されるナット圧入部を備えた端子台として、例えば特開２０１５−２６５１７号公報（下記特許文献１）に記載の端子台が知られている。このナット圧入保持構造は、ハウジングと、ハウジングのナット圧入部に圧入されるナットとを備え、ナット圧入部には、ナットの角部が当接しないように曲線形状の応力逃がし部が設けられている。また、ナット圧入部の側壁には、一対の凸部が設けられている。ナットをナット圧入部に圧入すると、一対の凸部がナットによって圧潰されることでナットの圧入保持が行われる。
【先行技術文献】
【特許文献】
【０００３】
【特許文献１】特開２０１５−２６５１７号公報
【発明の概要】
【発明が解決しようとする課題】
【０００４】
しかしながら、上記の端子台では、応力逃がし部によって樹脂の破損を防止することができるものの、ナットにボルトを締結した際に、ボルトとともにナットが連れ回りすることで凸部がさらに圧潰される場合があり、繰り返しボルトを脱着することで凸部がへたってナットの保持力が低下し、ナットが脱落するおそれがある。
【課題を解決するための手段】
【０００５】
本明細書によって開示される端子台は、バスバーと、前記バスバーと対向して配された底壁を有する樹脂部と、前記バスバーと前記底壁の間に設けられたナット収容部に収容されたナットとを備えた端子台であって、前記バスバーの端部と前記底壁の端部との間には、前記ナットを前記ナット収容部に向けて挿入するためのナット挿入口が設けられ、前記ナットの高さ寸法は、前記ナット挿入口における前記底壁から前記バスバーまでの高さ寸法よりも大きく、かつ、前記ナット収容部における前記底壁から前記バスバーまでの高さ寸法よりも小さい構成とした。
【０００６】
このような構成によると、ナットがナット挿入口に圧入気味に挿入され、ナット収容部では一対の樹脂リブによって保持されることになる。ここで、ナットの高さ寸法は、ナット挿入口における底壁からバスバーまでの高さ寸法よりも大きいから、ナット収容部に収容されたナットがナット挿入口から脱落するおそれがない。また、ナットが底壁とバスバーとの間に位置しているから、ナットが底壁側に脱落するおそれもない。
【０００７】
本明細書によって開示される端子台は、以下の構成としてもよい。
前記ナット収容部は、前記バスバーに設けられ前記ナットの一部を収容するバスバー側ナット収容部と、前記樹脂部に設けられ前記ナットのうち前記バスバー側ナット収容部からはみ出した部分を収容する樹脂部側ナット収容部とからなる構成としてもよい。
このような構成によると、ナットをバスバー側ナット収容部と樹脂部側ナット収容部との双方に収容することになる。ナットにボルトを締結した際に、ボルトとともにナットが連れ回りしようとしても、ナットがバスバー側ナット収容部の内壁に当接することでナットが連れ回りすることを防止できる。
【０００８】
前記ナット収容部における前記ナットの両側面と対向する一対の樹脂部側対向面には、前記ナットの両側面を押圧する一対の樹脂リブが設けられており、前記バスバーにおける前記ナットの両側面と対向する一対のバスバー側対向面間の離間距離は、前記ナットの両側面間の寸法とほぼ同じである構成としてもよい。
このような構成によると、ナットの両側面が一対のバスバー側対向面にそれぞれ当接することでナットの回転が防止される。したがって、バスバー側ナット収容部が設けられていない場合に比べて、一対の樹脂リブがナットの両側面によって削られる量を減らすことができる。これにより、繰り返しボルトを脱着することで樹脂リブがへたってナットの保持力が低下することを抑制し、ナットの脱落を防ぐことができる。
【発明の効果】
【０００９】
本明細書によって開示される端子台によれば、ナット収容部に収容されたナットがナット挿入口から脱落することを防止でき、ナットが底壁側に脱落することを防止できる。
【図面の簡単な説明】
【００１０】
【図１】ナットを挿入する前の端子台の平面図
【図２】ナットを挿入する前の端子台の正面図
【図３】図１におけるＡ−Ａ線断面図
【図４】図３の切断位置における端子台の断面図
【図５】図１におけるＢ−Ｂ線断面図
【図６】図５の切断位置における端子台の断面図
【発明を実施するための形態】
【００１１】
＜実施形態＞
実施形態を図１から図６の図面を参照しながら説明する。実施形態における端子台１０は、図４に示すように、合成樹脂製の樹脂部２０と、導電性の金属からなるバスバー３０と、導電性の金属からなるナット４０とを備えて構成されている。また、端子台１０は、ナット４０が収容されるナット収容部１１を有しており、ナット収容部１１の前端部には、ナット挿入口１２が前方に開口して設けられている。ナット４０は、ナット挿入口１２からナット収容部１１に収容されるようになっている。
【００１２】
バスバー３０は平板状をなし、図示しないボルトが挿通されるボルト挿通孔３１を有している。一方、ナット４０は、平面視において略正方形状をなす角形ナットであって、図示しないボルトが締結されるボルト締結孔４１を有している。バスバー３０のボルト挿通孔３１とナット４０のボルト締結孔４１とは同軸をなすように配置されている。したがって、ボルトをボルト挿通孔３１に挿通させてボルト締結孔４１に締結することが可能とされている。
【００１３】
樹脂部２０は、バスバー３０が挿通されたバスバー挿通孔２１を有し、バスバー３０がバスバー挿通孔２１から前方に突出した形態で保持されている。樹脂部２０におけるバスバー３０の下方には、底壁２５が設けられている。底壁２５は、バスバー３０と対向して配されている。また、底壁２５には、ボルトの軸部を逃がすための逃がし孔２６が設けられている。逃がし孔２６は、図３に示すように、ボルト挿通孔３１の同軸をなす位置において底壁２５を板厚方向に貫通して設けられている。
【００１４】
バスバー３０におけるバスバー挿通孔２１から前方に突出した部分と底壁２５との間には、ナット収容部１１が設けられている。ナット収容部１１は、バスバー側ナット収容部３２と、樹脂部側ナット収容部２２とからなる。バスバー側ナット収容部３２は、バスバー３０の下面の一部を上方に凹設することで設けられており、ナット４０の上端部を収容している。一方、樹脂部側ナット収容部２２は、ナット４０のうちバスバー側ナット収容部３２から下方にはみ出した部分を収容している。
【００１５】
バスバー側ナット収容部３２は、図３に示すように、バスバー３０の前端部よりも後方に設けられ、ボルト挿通孔３１の周縁部において下方に開口する形態をなしている。
【００１６】
樹脂部側ナット収容部２２には、図６に示すように、ナット４０の両側面４２と対向する一対の樹脂部側対向面２３が設けられている。各樹脂部側対向面２３には、一対の樹脂リブ２４がそれぞれ上下方向に並んで設けられている。樹脂リブ２４は、図３に示すように、前後方向に延びる形態とされている。各樹脂リブ２４の前端は、ボルト挿通孔３１の前端よりもやや前方に位置し、バスバー３０の前端よりも後方に位置している。このため、ナット４０がナット収容部１１に圧入されると、ナット４０が樹脂リブ２４の押圧力を受けてナット収容部１１に保持される。
【００１７】
さて、本実施形態の端子台１０では、ナット収容部１１に収容されたナット４０がナット挿入口１２から脱落することを防止することができるように構成されている。具体的には、図４に示すように、ナット４０の高さ寸法Ｈ３は、ナット挿入口１２における底壁２５からバスバー３０までの高さ寸法Ｈ１よりも大きく、かつ、ナット収容部１１における底壁２５からバスバー３０までの高さ寸法Ｈ２よりも小さいものとされている。
【００１８】
高さ寸法Ｈ１を高さ寸法Ｈ３よりも小さくすると、ナット４０をナット挿入口１２からナット収容部１１に挿入する際は圧入気味になり、挿入力がやや大きくなるものの、ナット４０がナット収容部１１に収容された状態では、ナット４０がナット挿入口１２を通過できなくなる。例えば、仮に樹脂リブ２４がへたってナット４０の保持力が低下した場合でも、ナット４０がナット挿入口１２から脱落することを防止できる。なお、ナット４０の下方には、底壁２５が設けられているため、ナット４０が下方（底壁２５側）に脱落することもない。
【００１９】
また、本実施形態の端子台１０では、ボルトを締結した際にナット４０が連れ回りすることで樹脂リブ２４がへたることを防止することができるように構成されている。具体的には、図６に示すように、バスバー３０におけるナット４０の両側面４２と対向する一対のバスバー側対向面３３間の離間距離Ｗ３は、一対の樹脂部側対向面２３間の離間距離Ｗ１よりも小さく、かつ、ナット４０の両側面４２間の寸法Ｗ２よりもやや大きいものとされている。
【００２０】
離間距離Ｗ３を離間距離Ｗ１よりも小さくすると、ナット４０が回転した際にナット４０が樹脂部側対向面２３よりも先にバスバー側対向面３３に当接することになるため、ナット４０が樹脂部側対向面２３に当接する場合に比べて樹脂リブ２４の削れ量を少なくすることができる。また、離間距離Ｗ３を寸法Ｗ２よりも大きくし、高さ寸法Ｈ２を高さ寸法Ｈ３よりも大きくすると、ナット４０の上端部をバスバー側ナット収容部３２に収容することができ、ナット４０の回り止めを確実に行うことができる。
【００２１】
以上のように本実施形態では、ナット４０がナット挿入口１２に圧入気味に挿入され、ナット収容部１１では一対の樹脂リブ２４によって保持されることになる。ここで、ナット４０の高さ寸法Ｈ３は、ナット挿入口１２における底壁２５からバスバー３０までの高さ寸法Ｈ１よりも大きいから、ナット収容部１１に収容されたナット４０がナット挿入口１２から脱落するおそれがない。また、ナット４０が底壁２５とバスバー３０との間に位置しているから、ナット４０が底壁２５側に脱落するおそれもない。
【００２２】
ナット収容部１１は、バスバー３０に設けられナット４０の一部を収容するバスバー側ナット収容部３２と、樹脂部２０に設けられナット４０のうちバスバー側ナット収容部３２からはみ出した部分を収容する樹脂部側ナット収容部２２とからなる構成としてもよい。
このような構成によると、ナット４０をバスバー側ナット収容部３２と樹脂部側ナット収容部２２との双方に収容することになる。ナット４０にボルトを締結した際に、ボルトとともにナット４０が連れ回りしようとしても、ナット４０がバスバー側ナット収容部３２の内壁に当接することでナット４０が連れ回りすることを防止できる。
【００２３】
ナット収容部１１におけるナット４０の両側面４２と対向する一対の樹脂部側対向面２３には、ナット４０の両側面４２を押圧する一対の樹脂リブ２４が設けられており、バスバー３０におけるナット４０の両側面と対向する一対のバスバー側対向面３３間の離間距離は、ナット４０の両側面４２間の寸法とほぼ同じである構成としてもよい。
このような構成によると、ナット４０の両側面４２が一対のバスバー側対向面３３にそれぞれ当接することでナット４０の回転が防止される。したがって、バスバー側ナット収容部３２が設けられていない場合に比べて、一対の樹脂リブ２４がナット４０の両側面４２によって削られる量を減らすことができる。これにより、繰り返しボルトを脱着することで樹脂リブ２４がへたってナット４０の保持力が低下することを抑制し、ナット４０の脱落を防ぐことができる。
【００２４】
＜他の実施形態＞
本明細書によって開示される技術は上記記述及び図面によって説明した実施形態に限定されるものではなく、例えば次のような種々の態様も含まれる。
（１）上記実施形態ではバスバー３０にバスバー側ナット収容部３２を設けているものの、バスバー側ナット収容部を設けなくてもよい。その場合、樹脂部２０の底壁２５に、ナット４０の下端部を収容するナット収容凹部を凹設してもよい。
【００２５】
（２）上記実施形態では一対のバスバー側対向面３３間の離間距離Ｗ３をナット４０の両側面４２間の寸法Ｗ２よりもやや大きいものとしているものの、ナット４０の上端部が一対のバスバー側対向面３３間に収容されるものであれば離間距離Ｗ３をもっと小さくしてもよい。
【００２６】
（３）上記実施形態では一対の樹脂リブ２４がナット挿入口１２よりも奥側において前後方向に延びる形態とされているものの、ナット挿入口１２から奥側に向けて一対の樹脂リブを設けてもよいし、あるいは、樹脂リブを設けない構成としてもよい。
【符号の説明】
【００２７】
１０…端子台
１１…ナット収容部
１２…ナット挿入口
２０…樹脂部
２２…樹脂部側ナット収容部
２３…樹脂部側対向面
２４…樹脂リブ
２５…底壁
３０…バスバー
３２…バスバー側ナット収容部
３３…バスバー側対向面
４０…ナット
４２…側面
【図１】
2018010797.tif 000003
【図２】
2018010797.tif 000004
【図３】
2018010797.tif 000005
【図４】
2018010797.tif 000006
【図５】
2018010797.tif 000007
【図６】
2018010797.tif 000008